(57)【要約】【課題】衣服を落下させることなく安定的に掛けることができる衣服用ハンガー及び衣服掛けを提供する。【解決手段】中央部から左右に張り出したアーム２ａ，２ｂを有するハンガー本体４Ａと、ハンガー本体４Ａの中央部から上方に突出するように配置された吊り下げ部材６Ａと、を備え、吊り下げ部材６Ａが、横幅が狭い幅狭部８Ａと、幅狭部８Ａと連続するように、幅狭部８Ａより吊り下げ部材６Ａの先端側に形成された、幅狭部８Ａに比して横幅が広い幅広部１０Ａと、を有するものである衣服用ハンガー１Ａ。【選択図】図１Ａ
2010284406.tif 000002
【特許請求の範囲】
【請求項１】
中央部から左右に張り出したアームを有するハンガー本体と、
前記ハンガー本体の中央部から上方に突出するように配置された吊り下げ部材と、を備え、
前記吊り下げ部材が、横幅が狭い幅狭部と、前記幅狭部と連続するように、前記幅狭部より前記吊り下げ部材の先端側に形成された、前記幅狭部に比して横幅が広い幅広部と、を有するものである衣服用ハンガー。
【請求項２】
前記吊り下げ部材は、前記ハンガー本体側から当該吊り下げ部材の先端側に向かって徐々に横幅が広がる楔部を有しており、前記楔部によって前記幅狭部及び前記幅広部が形成されている請求項１に記載の衣服用ハンガー。
【請求項３】
前記吊り下げ部材に、ハンガーフック挿入用の貫通孔が形成されている請求項１又は２に記載の衣服用ハンガー。
【請求項４】
前記吊り下げ部材が、弦楽器のネック及びヘッドの形状を呈するものであり、前記ネックによって前記幅狭部が形成され、前記ヘッドによって前記幅広部が形成されている請求項１〜３のいずれか一項に記載の衣服用ハンガー。
【請求項５】
前記吊り下げ部材に、前記幅広部に着脱可能に挟み込まれた、キャラクターの顔のアクセサリーが付設されている請求項１〜４のいずれか一項に記載の衣服用ハンガー。
【請求項６】
請求項１〜５のいずれか一項に記載の衣服用ハンガーと、
左右一対の固定部を有し、
前記固定部が前記吊り下げ部材の前記幅狭部の横幅より広く、かつ、前記吊り下げ部材の前記幅広部の横幅より狭い間隔に配置されたハンガー固定具と、を備えた衣服掛け。
【請求項７】
前記ハンガー固定具が、左右一対の棒状部を有し、
前記棒状部が前記吊り下げ部材の前記幅狭部の横幅より広く、かつ、前記吊り下げ部材の前記幅広部の横幅より狭い間隔に配置されたものである請求項６に記載の衣服掛け。
【請求項８】
前記ハンガー固定具が、二股に分岐した棒状体を備え、
前記棒状体のうち分岐部分の間隔が、前記吊り下げ部材の前記幅狭部の横幅より広く、かつ、前記吊り下げ部材の前記幅広部の横幅より狭く形成されたものである請求項７に記載の衣服掛け。
【請求項９】
前記ハンガー固定具が、平行するように配置された二本のレールを備え、
前記二本のレールが、前記吊り下げ部材の前記幅狭部の横幅より広く、かつ、前記吊り下げ部材の前記幅広部の横幅より狭い間隔に配置されたものである請求項６に記載の衣服掛け。
【請求項１０】
前記二本のレールが、平行するように配置された二本の波型レールである請求項９に記載の衣服掛け。
【請求項１１】
前記ハンガー固定具が、左右一対の板状体を有し、
前記板状体が前記吊り下げ部材の前記幅狭部の横幅より広く、かつ、前記吊り下げ部材の前記幅広部の横幅より狭い間隔に配置されたものである請求項６に記載の衣服掛け。
【発明の詳細な説明】
【技術分野】
【０００１】
本発明は、衣服用ハンガー及び衣服掛けに関するものである。
【背景技術】
【０００２】
従来、衣服用ハンガーとしては、中央部から左右に張り出したアームを有するハンガー本体と、そのハンガー本体の中央部から上方に突出するように配置された、鉤状の吊り下げフックと、を備えた衣服用ハンガーが知られている（例えば、特許文献１〜４参照）。
【０００３】
前記のような衣服用ハンガーは、鉤状の吊り下げフックを、壁に設置されたハンガーフックの他、クローゼットや店舗の陳列棚に設置されたハンガーパイプ等に引っ掛けることにより、前記ハンガーフック等に対して吊り下げることができる。
【先行技術文献】
【特許文献】
【０００４】
【特許文献１】特開２００９−３９２４１号公報
【特許文献２】特開２００９−５０３５７号公報
【特許文献３】実用新案登録第３１５００６１号公報
【特許文献４】実用新案登録第３１４７７１１号公報
【発明の概要】
【発明が解決しようとする課題】
【０００５】
しかしながら、特許文献１〜４に記載されるような衣服用ハンガーに衣服を掛けると、吊り下げフックを支点としてアームが前後左右に揺れ易く、その揺れに伴って掛けた衣服がアームから落下し易いという問題があった。
【０００６】
即ち、特許文献１〜４に記載されるような衣服用ハンガーは、衣服を落下させることなく安定的に掛けるという点で未だ解決すべき課題を残すものであった。
【０００７】
本発明は、前記のような従来技術が有する課題を解決するためになされたものであり、衣服を落下させることなく安定的に掛けることができる衣服用ハンガー及び衣服掛けを提供するものである。
【課題を解決するための手段】
【０００８】
本発明者は上記課題を解決すべく鋭意検討した結果、吊り下げフックに代えて、横幅が狭い幅狭部と、その幅狭部より先端側（上方）に形成された、幅狭部に比して横幅が広い幅広部と、を有する吊り下げ部材を用いることで、上記課題を解決可能であることを見出し、本発明を完成するに至った。本発明によれば、以下の衣服用ハンガー及び衣服掛けが提供される。
【０００９】
［１］中央部から左右に張り出したアームを有するハンガー本体と、前記ハンガー本体の中央部から上方に突出するように配置された吊り下げ部材と、を備え、前記吊り下げ部材が、横幅が狭い幅狭部と、前記幅狭部と連続するように、前記幅狭部より前記吊り下げ部材の先端側に形成された、前記幅狭部に比して横幅が広い幅広部と、を有するものである衣服用ハンガー。
【００１０】
［２］前記吊り下げ部材は、前記ハンガー本体側から当該吊り下げ部材の先端側に向かって徐々に横幅が広がる楔部を有しており、前記楔部によって前記幅狭部及び前記幅広部が形成されている前記［１］に記載の衣服用ハンガー。
【００１１】
［３］前記吊り下げ部材に、ハンガーフック挿入用の貫通孔が形成されている前記［１］又は［２］に記載の衣服用ハンガー。
【００１２】
［４］前記吊り下げ部材が、弦楽器のネック及びヘッドの形状を呈するものであり、前記ネックによって前記幅狭部が形成され、前記ヘッドによって前記幅広部が形成されている前記［１］〜［３］のいずれかに記載の衣服用ハンガー。
【００１３】
［５］前記吊り下げ部材に、前記幅広部に着脱可能に挟み込まれた、キャラクターの顔のアクセサリーが付設されている前記［１］〜［４］のいずれかに記載の衣服用ハンガー。
【００１４】
［６］前記［１］〜［５］のいずれかに記載の衣服用ハンガーと、左右一対の固定部を有し、前記固定部が前記吊り下げ部材の前記幅狭部の横幅より広く、かつ、前記吊り下げ部材の前記幅広部の横幅より狭い間隔に配置されたハンガー固定具と、を備えた衣服掛け。
【００１５】
［７］前記ハンガー固定具が、左右一対の棒状部を有し、前記棒状部が前記吊り下げ部材の前記幅狭部の横幅より広く、かつ、前記吊り下げ部材の前記幅広部の横幅より狭い間隔に配置されたものである前記［６］に記載の衣服掛け。
【００１６】
［８］前記ハンガー固定具が、二股に分岐した棒状体を備え、前記棒状体のうち分岐部分の間隔が、前記吊り下げ部材の前記幅狭部の横幅より広く、かつ、前記吊り下げ部材の前記幅広部の横幅より狭く形成されたものである前記［７］に記載の衣服掛け。
【００１７】
［９］前記ハンガー固定具が、平行するように配置された二本のレールを備え、前記二本のレールが、前記吊り下げ部材の前記幅狭部の横幅より広く、かつ、前記吊り下げ部材の前記幅広部の横幅より狭い間隔に配置されたものである前記［６］に記載の衣服掛け。
【００１８】
［１０］前記二本のレールが、平行するように配置された二本の波型レールである前記［９］に記載の衣服掛け。
【００１９】
［１１］前記ハンガー固定具が、左右一対の板状体を有し、前記板状体が前記吊り下げ部材の前記幅狭部の横幅より広く、かつ、前記吊り下げ部材の前記幅広部の横幅より狭い間隔に配置されたものである前記［６］に記載の衣服掛け。
【発明の効果】
【００２０】
本発明の衣服用ハンガー及び衣服掛けは、衣服を落下させることなく安定的に掛けることができる。
【図面の簡単な説明】
【００２１】
【図１Ａ】本発明の衣服用ハンガーの一の実施形態を模式的に示す正面図である。
【図１Ｂ】本発明の衣服用ハンガーの別の実施形態を模式的に示す正面図である。
【図１Ｃ】本発明の衣服用ハンガーの更に別の実施形態を模式的に示す正面図である。
【図２Ａ】本発明の衣服掛けの一の実施形態を模式的に示す斜視図である。
【図２Ｂ】本発明の衣服掛けの別の実施形態を模式的に示す斜視図である。
【図２Ｃ】本発明の衣服掛けの更に別の実施形態を模式的に示す斜視図である。
【図２Ｄ】本発明の衣服掛けの更にまた別の実施形態を模式的に示す斜視図である。
【図３Ａ】本発明の衣服用ハンガーの一の実施形態を模式的に示す斜視図である。
【図３Ｂ】本発明の衣服用ハンガーの別の実施形態を模式的に示す斜視図である。
【図３Ｃ】本発明の衣服用ハンガーの更に別の実施形態を模式的に示す斜視図である。
【図４Ａ】本発明の衣服用ハンガーの一の実施形態を模式的に示す斜視図である。
【図４Ｂ】図４Ａに示す衣服用ハンガーの使用態様を模式的に示す斜視図である。
【図５Ａ】本発明の衣服用ハンガーの別の実施形態を模式的に示す斜視図である。
【図５Ｂ】図５Ａに示す衣服用ハンガーの使用態様を模式的に示す斜視図である。
【図６Ａ】本発明の衣服用ハンガーの更に別の実施形態を模式的に示す斜視図である。
【図６Ｂ】図６Ａに示す衣服用ハンガーを組み立てた状態を模式的に示す正面図である。
【図６Ｃ】図６Ｂに示す衣服用ハンガーの使用態様を模式的に示す斜視図である。
【図７Ａ】本発明の衣服用ハンガーの一の実施形態を模式的に示す斜視図である。
【図７Ｂ】本発明の衣服用ハンガーの別の実施形態を模式的に示す斜視図である。
【図８Ａ】本発明の衣服掛けの一の実施形態を模式的に示す斜視図である。
【図８Ｂ】本発明の衣服掛けの別の実施形態を模式的に示す斜視図である。
【発明を実施するための形態】
【００２２】
以下、本発明の衣服用ハンガー及び衣服掛けを実施するための形態について図面を参照しながら具体的に説明する。但し、本発明はその発明特定事項を備える衣服用ハンガー及び衣服掛けを広く包含するものであり、以下の実施形態に限定されるものではない。
【００２３】
なお、図面において、吊り下げ部材の幅広部と幅広部を区分する一点鎖線を付す場合がある。これは説明の便宜上、付したものであって、両部分が別個の部材により構成されていることを示すものではない。
【００２４】
［１］本発明の衣服用ハンガーの特徴：
本発明の衣服用ハンガーは、図１Ａに示す衣服用ハンガー１Ａのように、中央部から左右に張り出したアーム２ａ，２ｂを有するハンガー本体４Ａと、ハンガー本体４Ａの中央部から上方に突出するように配置された吊り下げ部材６Ａと、を備え、吊り下げ部材６Ａが、横幅が狭い幅狭部８Ａと、幅狭部８Ａと連続するように、幅狭部８Ａより吊り下げ部材６Ａの先端側に形成された、幅狭部８Ａに比して横幅が広い幅広部１０Ａと、を有する点に特徴がある。
【００２５】
衣服用ハンガー１Ａは、吊り下げ部材６Ａに横幅が狭い幅狭部８Ａと、この幅狭部８Ａに比して横幅が広い幅広部１０Ａとを有するため、図２Ａに示す衣服掛け５０Ａのような、吊り下げ部材６Ａの幅狭部８Ａの横幅より広く、かつ、吊り下げ部材６Ａの幅広部１０Ａの横幅より狭い間隔に配置された左右一対の固定部３２ａ，３２ｂを有するハンガー固定具３０Ａに対して係止することができる。
【００２６】
このように、本発明の衣服用ハンガーは左右一対の固定部を有するハンガー固定具に対して係止するため、ハンガーは吊り下げ部材の幅広部の少なくとも二点で支持されることになる。従って、鉤状の吊り下げフックの一点でハンガーを支持する従来の衣服用ハンガーとは異なり、衣服を掛けた際にアームが前後左右に揺れ難く、その揺れに伴って掛けた衣服がアームから落下することも少ない。即ち、衣服を落下させることなく安定的に掛けることができる。
【００２７】
［２］本発明の衣服用ハンガーの構成：
本発明の衣服用ハンガーは、図１Ａに示す衣服用ハンガー１Ａのように、必須構成要素として、ハンガー本体４Ａと、ハンガー本体４Ａの中央部から上方に突出するように配置された吊り下げ部材６Ａと、を備える。以下、部材毎に説明する。
【００２８】
［２−１］ハンガー本体：
図１Ａに示すように、ハンガー本体４Ａは、中央部から左右に張り出したアーム２ａ，２ｂを有する部材である。このハンガー本体としては、従来公知のハンガー形状を適用することができる。
【００２９】
アームはハンガー中央部から左右に張り出した構造を有している限り、左右のアームが相互に独立していても、一体的に構成されていてもよい。
【００３０】
例えば、図１Ａに示す衣服用ハンガー１Ａは、左右のアーム２ａ，２ｂが相互に独立した構造の例である。衣服用ハンガー１Ａにおいては、相互に独立した左右一対のアーム２ａ，２ｂがハンガー中央部に存する吊り下げ部材６Ａを介して結合されている。
【００３１】
また、アームは左右に張り出したアームが一直線となるように構成されていてもよいし、ハンガー中央部から左右の縁部に向かってアームがハンガー下側に傾斜するように構成してもよい。
【００３２】
例えば、図１Ａに示す衣服用ハンガー１Ａは、左右一対のアーム２ａ，２ｂの左右の側縁部が下がるように傾斜しており、アーム２ａ，２ｂに対して上着の両肩部を掛け易いように構成されている。
【００３３】
また、ハンガー本体はアームに加えて、衣服を掛けるための他の部材、具体的には、スラックス、スカート等を挟んで固定するためのピンチ、或いはスラックス、ネクタイ等を掛けるためのバー等を備えていてもよい。
【００３４】
例えば、図１Ｂに示す衣服用ハンガー１Ｂは、アーム２ｃ，２ｄの側縁部に薄板状のピンチ固定材１２が付設されており、更にこのピンチ固定材１２にスラックス、スカート等を挟んで固定するためのピンチ１４が付設されている例である。
【００３５】
一方、図１Ｃに示す衣服用ハンガー１Ｃは、アーム２ａ，２ｂの側縁部に棒状のバー支持体１６が付設されており、更にこのバー支持体１６にスラックス、ネクタイ等を掛けるためのバー１８が付設されている例である。
【００３６】
［２−２］吊り下げ部材：
図１Ａに示すように、吊り下げ部材６Ａは、ハンガー本体４Ａの中央部から上方に突出するように配置された部材である。この吊り下げ部材は、従来の吊り下げフックに代わり、ハンガー固定具に対してハンガーを係止する機能を果たす部材である。
【００３７】
図１Ａに示すように、吊り下げ部材６Ａは、横幅が狭い幅狭部８Ａと、幅狭部８Ａと連続するように、幅狭部８Ａより吊り下げ部材６Ａの先端側に形成された、幅狭部８Ａに比して横幅が広い幅広部１０Ａと、を有する。このように、吊り下げ部材の先端側（上方）に幅広部、末端側（下方）に幅狭部を形成することで、吊り下げ部材の先端側（上方）において、幅広部の一部が幅狭部の側縁からはみ出すことになる。本発明の衣服用ハンガーは、従来の吊り下げフックに代えて、このはみ出し部（幅狭部と幅広部の横幅のギャップ）を利用してハンガーを固定するものである。従って、吊り下げフックを必ずしも必要とせず、鉤状に突出した鋭利な吊り下げフックによって使用者が怪我をしたり、デリケートな衣服が傷つけられたりするおそれがなく、使用者や衣服に対する安全性の面で優れる。
【００３８】
幅広部は、幅狭部に比して横幅が広く構成される。吊り下げ部材を確実にハンガー固定具に係止するため、幅狭部の両側縁から幅広部の両側縁が左右１ｃｍ以上はみ出していることが好ましい。幅狭部及び幅広部の具体的な横幅については特に限定されず、衣服用ハンガーの形態や大きさに見合うように適宜決定すればよい。
【００３９】
図１Ａに示すように、幅広部１０Ａは、幅狭部８Ａより吊り下げ部材６Ａの先端側に形成される。即ち、吊り下げ部材６Ａの上方に幅広部１０Ａ、下方に幅狭部８Ａが形成される。こうすることで、前記はみ出し部の側面又は下面でハンガー及び衣服の荷重を支えることが可能となる。また、幅広部１０Ａは幅狭部８Ａと連続するように形成される。これにより、幅狭部と幅広部の横幅のギャップが生じ、はみ出し部が形成される。
【００４０】
なお、図３Ａに示す衣服用ハンガー１Ｄのように、吊り下げ部材６Ｂが、ハンガー本体４Ｂ側から吊り下げ部材６Ｂの先端側に向かって徐々に横幅が広がる楔部２０を有しており、楔部２０によって幅狭部及び幅広部が形成されているものも本発明の範囲に含まれる。このような形態は楔部の最大幅部分から最小幅部分に至るまでのいかなる部分においてもハンガー固定具に係止することができる。即ち、一対の固定部の間隔が異なるハンガー固定具に対しても係止することができるという利点があり好ましい。
【００４１】
吊り下げ部材はハンガー本体の中央部から上方に突出し、前記のような幅狭部及び幅広部を有するものである限り、その形状は特に限定されない。例えば、図１Ａに示す衣服用ハンガー１Ａのような板状であってもよいし、図３Ａに示す衣服用ハンガー１Ｄのような棒状であってもよい。
【００４２】
また、吊り下げ部材は左右一対のアームが一体的に構成されたハンガー本体の頂部に付設してもよいし、相互に独立した左右一対のアームの間に挟み込むように付設してもよい。例えば、図１Ａに示す衣服用ハンガー１Ａは、相互に独立した左右一対のアーム２ａ，２ｂの中央部に挟み込まれるように吊り下げ部材６Ａを固定した構造の例である。
【００４３】
但し、本発明の衣服用ハンガーは、図１Ａに示す衣服用ハンガー１Ａのように、吊り下げ部材６Ａが、弦楽器のネック２２Ａ及びヘッド２４Ａの形状を呈するものであり、ネック２２Ａによって幅狭部８Ａが形成され、ヘッド２４Ａによって幅広部１０Ａが形成されていることが好ましい。
【００４４】
弦楽器のネックは表側が概ねフラットで裏側は幅方向中央部が膨らんだラウンド形状を呈しており、手で握るのに適した構造を有している。従って、ネックの部分を掴み易く、衣服用ハンガーを後述するハンガー固定具に掛け易いという利点がある。また、通常、弦楽器のヘッドは弦巻等を設置する都合上、ネックより幅広に形成されていることが多い。従って、ネックを吊り下げ部材の幅狭部として、ヘッドを吊り下げ部材の幅広部として好適に利用することができる。
【００４５】
図１Ａに示すように、弦楽器のヘッド２４Ａはネック２２Ａの先端に配置される。ヘッドをネックと別部材として構成し、事後的に結合してもよいが、大きな吊り下げ荷重に耐え得るものとするため、図１Ａに示す吊り下げ部材６Ａのように、ヘッド２４Ａとネック２２Ａを一体的に構成することが好ましい。
【００４６】
弦楽器の種類は、ネックとヘッドを有する弦楽器であれば特に限定されない。例えば、ギター、チェロ、バイオリン、ウッドベース等を挙げることができる。なお、「弦楽器」には、エレキギター、エレキベース等の電子楽器も含まれる。
【００４７】
本発明の衣服用ハンガーの吊り下げ部材を弦楽器のネック及びヘッドの形状とすることにより、日用品である衣服用ハンガーに意匠的な効果を付与することができる。従って、展示会等において衣服を展示するための高級ハンガーとして好適に用いることができる。
【００４８】
例えば、図１Ａに示す衣服用ハンガー１Ａは、ネック２２Ａ及びヘッド２４Ａをエレキギターのネック及びヘッドの形状を呈するように構成したものである。このような衣服用ハンガーは、ハードなロックファッションの衣服等を展示する際に好適に用いることができる。よりリアルなテイストを出すために、ヘッドの部分に弦巻、ネックの部分にブリッジを付設し、或いはストリングを張る等して、衣服用ハンガーを実際のエレキギターに近似した形態とすることも好ましい形態の一つである。
【００４９】
また、ネック及びヘッドをチェロやバイオリン等のクラシック音楽に用いられる弦楽器のネック及びヘッドの形状とした衣服用ハンガーは、衣服に高級感を醸し出すことができる。従って、高級ブランドのスーツ、ドレス等の衣服を展示する際に好適に用いることができる。
【００５０】
本発明の衣服用ハンガーの吊り下げ部材は、前記のような幅狭部及び幅広部を有する限り、ハンガーの目的に応じ、又は意匠性を付与するために、弦楽器のネック及びヘッドの形状のみならず、様々な形状を採用することができる。
【００５１】
例えば、図３Ａに示す衣服用ハンガー１Ｄは、吊り下げ部材６Ｂをスコップの取っ手の形状とした例、図３Ｂに示す衣服用ハンガー１Ｅは、吊り下げ部材６Ｃをハンマーの形状とした例、図３Ｃに示す衣服用ハンガー１Ｅは、吊り下げ部材６Ｄを釘の頭部の形状とした例である。
【００５２】
また、図４Ａに示す衣服用ハンガー１Ｇは、吊り下げ部材６Ｅをピストルのグリップの形状とした例、図５Ａに示す衣服用ハンガー１Ｈは、吊り下げ部材６Ｆをライフルのストック（銃床）の形状とした例である。
【００５３】
なお、図４Ｂ及び図５Ｂは、衣服用ハンガー１Ｇ，１Ｈの使用態様図であり、図４Ａに示す衣服用ハンガー１Ｇ又は図５Ａに示す衣服用ハンガー１Ｈを、図２Ａに示すハンガー固定具３０Ａに係止して、衣服掛け５０Ｇ，５０Ｈを構成した状態を示す斜視図である。
【００５４】
本発明の衣服用ハンガーにおいては、図６Ａ及び図６Ｂに示すように、吊り下げ部材６Ｄの幅広部１０Ｄに着脱可能に挟み込まれた、キャラクターの顔のアクセサリー２６が付設されていることも好ましい形態の一つである。このような形態は、使用者の性別や年齢層に応じてアクセサリー（キャラクターの顔）を交換して、ハンガーのデザインを変更することができるため、ハンガーの意匠性の向上に資する。また、アクセサリーを幅広部に付設すると、幅狭部に付設した場合と比較して、１）吊り下げ部材をハンガー固定具に係止する際にアクセサリーが邪魔にならず、ハンガー固定具に対して確実に係止することができ、また、２）幅広部を包み込むようにアクセサリーを固定することで、アクセサリーが脱落し難くなり、確実に固定することができる。
【００５５】
図６Ａ及び図６Ｂは、図３Ｃに示す衣服用ハンガー１Ｆに対し、前後方向に２分割されたアクセサリー２６ａ，２６ｂを、吊り下げ部材６Ｄにおける幅広部１０Ｄの前後方向から挟み込み、アクセサリー２６ａ，２６ｂに形成された凹凸部分を嵌合させることで、着脱可能に固定したものである。
【００５６】
なお、図６Ｃは、図３Ｃ，図６Ａ及び図６Ｂに示す衣服用ハンガー１Ｆの使用態様図であり、図６Ｂに示すように、アクセサリー２６が固定された衣服用ハンガー１Ｆを、図２Ａに示すハンガー固定具３０Ａに係止して、衣服掛け５０Ｉを構成した状態を示す斜視図である。
【００５７】
［２−３］その他の吊り下げ手段：
後述するように、本発明の衣服用ハンガーは、所定形状のハンガー固定具と一体となって衣服掛けを構成する。従って、通常のハンガーフック等にも掛けられるように、ヘッド以外の吊り下げ手段を備えていることも好ましい。
【００５８】
具体的には、図７Ａに示す衣服用ハンガー１Ｉのように、鉤状の吊り下げフック２８を更に備えている形態を挙げることができる。鉤状の吊り下げフックを備えていることにより、通常のハンガーフック等にも本発明の衣服用ハンガーを掛けることが可能となる。
【００５９】
図７Ａに示す衣服用ハンガー１Ｉは、吊り下げ部材６Ａの頂部に吊り下げフック２８を付設した例である。図７Ａに示すハンガー固定具３０Ｇは、ハンガーフック４８と、ハンガーフック４８が固定されたプレート３６とからなるものであり、ネジ３８によって壁に対して固定されている。衣服用ハンガー１Ｉは、吊り下げフック２８をハンガーフック４８に対して引っ掛けて係止することにより、衣服を掛けることができる。
【００６０】
但し、既に述べたように、鉤状の吊り下げフックは使用者又はデリケートな衣服に対する安全性の面で問題を生ずるおそれもある。従って、本発明の衣服用ハンガーとしては、図７Ｂに示す衣服用ハンガー１Ｊのように、吊り下げ部材６Ａに、ハンガーフック挿入用の貫通孔５４Ａが形成されていることが好ましい。この形態も図７Ａに示す鉤状の吊り下げフック２８を備えた形態と同様に、通常のハンガーフック等に本発明の衣服用ハンガーを掛けることが可能となる。また、吊り下げフックを有していないため、吊り下げフックに伴う不具合、吊り下げフックの揺れに伴って掛けた衣服がアームから落下し易い、使用者に鋭利なフックが引っ掛かって怪我をする、鋭利なフックによってデリケートな衣服が傷つけられる、といった問題を生ずることがない。
【００６１】
図７Ｂに示す衣服用ハンガー１Ｊは、吊り下げ部材６Ａにハンガーフック４８挿入用の貫通孔５４Ａを形成した例である。図７Ｂには、図７Ａにも示したハンガーフック４８を有するハンガー固定具３０Ｇが示されている。衣服用ハンガー１Ｊは、貫通孔５４Ａにハンガーフック４８を挿通して係止することにより、衣服を掛けることができる。
【００６２】
なお、図３Ａに示す衣服用ハンガー１Ｄも、楔部２０を構成しているスコップの取っ手状の部分の中央に貫通孔５４Ｂが形成されており、ハンガーフックを挿入し得る構造となっている。
【００６３】
［３］本発明の衣服掛けの構成：
本発明の衣服掛けは、図２Ａに示す衣服掛け５０Ａのように、本発明の衣服用ハンガー１Ａと、左右一対の固定部３２ａ，３２ｂを有し、固定部３２ａ，３２ｂが吊り下げ部材６Ａの幅狭部８Ａの横幅より広く、かつ、吊り下げ部材６Ａの幅広部１０Ａの横幅より狭い間隔に配置されたハンガー固定具３０Ａと、を備えたものである。即ち、本発明の衣服用ハンガーは前記のようなハンガー固定具と組み合わせることによって、衣服を掛けることが可能となる。
【００６４】
図２Ａに示すように、ハンガー固定具３０Ａは、左右一対の固定部（棒状部３２ａ，３２ｂ）を有し、固定部（棒状部３２ａ，３２ｂ）が吊り下げ部材６Ａの幅狭部８Ａの横幅より広く、かつ、吊り下げ部材６Ａの幅広部１０Ａの横幅より狭い間隔に配置されたものである。この左右一対の固定部によって、本発明の衣服用ハンガーの吊り下げ部材を左右から二点で支持し、係止することができる。
【００６５】
左右一対の固定部としては、本発明の衣服用ハンガーの吊り下げ部材における幅広部、より具体的には幅広部のうち幅狭部の両側縁からはみ出した部分（はみ出し部）をその下側から支持し得る構造であれば、特にその構造は限定されない。例えば、一対の棒状部材を左右に配置して固定部としてもよいし、一対の板状部材を左右に配置して固定部としてもよい。
【００６６】
図２Ａに示す衣服掛け５０Ａは、衣服用ハンガー１Ａと、ハンガー固定具３０Ａと、を備えた衣服掛け５０Ａである。この衣服掛け５０Ａは、ハンガー固定具３０Ａが左右一対の棒状部３２ａ，３２ｂを有し、棒状部３２ａ，３２ｂが吊り下げ部材６Ａの幅狭部８Ａの横幅より広く、かつ、吊り下げ部材６Ａの幅広部１０Ａの横幅より狭い間隔に配置されている。
【００６７】
本発明の衣服掛けは、左右一対の棒状部が別個独立の部材である必要はなく、一体的に構成されていてもよい。例えば、図２Ａに示す衣服掛け５０Ａのように、ハンガー固定具３０Ａが、二股に分岐した棒状体３４Ａを備え、棒状体３４Ａのうち分岐部分の間隔が、吊り下げ部材６Ａの幅狭部８Ａの横幅より広く、かつ、吊り下げ部材６Ａの幅広部１０Ａの横幅より狭く形成されたものも好ましい。
【００６８】
図２Ａに示す衣服掛け５０Ａを構成するハンガー固定具３０Ａは、二股（Ｙ字型）に分岐した棒状体３４Ａを備え、棒状体３４Ａのうち分岐部分の間隔が、吊り下げ部材６Ａの幅狭部８Ａの横幅より広く、かつ、吊り下げ部材６Ａの幅広部１０Ａの横幅より狭く形成された例である。この例では、ハンガー固定具３０Ａがプレート３６と、プレート３６に固定された棒状体３４Ａとから構成されており、ハンガー固定具３０Ａはネジ３８によって壁に固定されている。
【００６９】
また、図２Ｂに示す衣服掛け５０Ｂを構成するハンガー固定具３０Ｂは、二股（Ｕ字型）に分岐した棒状体３４Ｂを備え、棒状体３４Ｂのうち分岐部分の間隔が、吊り下げ部材６Ａの幅狭部８Ａの横幅より広く、かつ、吊り下げ部材６Ａの幅広部１０Ａの横幅より狭く形成された例である。この例では、ハンガー固定具３０Ｂが棒状体３４Ｂと、これを支持するポール４０と、ポール４０を支持する４本の脚４２によって構成されたスタンド形状を呈するものである。
【００７０】
また、本発明の衣服掛けは、ハンガー固定具が、平行するように配置された二本のレールを備え、二本のレールが、吊り下げ部材の幅狭部の横幅より広く、かつ、吊り下げ部材の幅広部の横幅より狭い間隔に配置されたものであることも好ましい。
【００７１】
図２Ｃに示す衣服掛け５０Ｃを構成するハンガー固定具３０Ｃは、平行するように配置された二本のレール４４Ａを備え、二本のレール４４Ａが、衣服用ハンガー１Ａ，１Ｂの吊り下げ部材６Ａの幅狭部８Ａの横幅より広く、かつ、吊り下げ部材６Ａの幅広部１０Ａの横幅より狭い間隔に配置された例である。この例では、ハンガー固定具３０Ｃが、二本のレール４４Ａと、レール４４Ａを支持する逆Ｕ字状の２本の脚４６によって構成されたスタンド形状を呈するものである。
【００７２】
前記形態においては、図２Ｄに示す衣服掛け５０Ｄを構成するハンガー固定具３０Ｄのように、二本のレールが、平行するように配置された二本の波型レール４４Ｂであることが好ましい。レールを波型とし、レールの波底部分に吊り下げ部材を係止すれば、より安定的にハンガーを係止することができる。この形態においては、衣服用ハンガーを係止し易くするため、二本の波型レール４４Ｂの同一の波長とし、二本の波型レール４４Ｂを波型の周期が同期するように平行に配置することが好ましい。
【００７３】
また、本発明の衣服掛けは、図８Ａに示す衣服掛け５０Ｅを構成するハンガー固定具３０Ｄのように、ハンガー固定具３０Ｅが、左右一対の板状体５２ａ，５２ｂを有し、板状体５２ａ，５２ｂが吊り下げ部材６Ａの幅狭部８Ａの横幅より広く、かつ、吊り下げ部材６Ａの幅広部１０Ａの横幅より狭い間隔に配置されたものであることが好ましい。
【００７４】
なお、図８Ａに示す形態では、１つの衣服用ハンガー１Ａを係止する目的で比較的幅の狭い板状体５２ａ，５２ｂを用いているが、板状体はこのような形状のものに限定されるものではない。例えば、図８Ｂに示す衣服掛け５０Ｆを構成するハンガー固定具３０Ｆは、比較的幅が広い板状体５２ｃ，５２ｄを用い、複数の衣服用ハンガー１Ａを係止し得るように構成した例である。
【産業上の利用可能性】
【００７５】
本発明の衣服用ハンガー及び衣服掛けは、スーツ、ジャケット、スラックス、スカート、ネクタイ等の衣服を掛けるためハンガーとして好適に用いることができる。
【符号の説明】
【００７６】
１Ａ，１Ｂ，１Ｃ，１Ｄ，１Ｅ，１Ｆ，１Ｇ，１Ｈ，１Ｉ，１Ｊ：衣服用ハンガー、２ａ，２ｂ，２ｃ，２ｄ，２ｅ，２ｆ：アーム、４Ａ，４Ｂ，４Ｃ：ハンガー本体、６Ａ，６Ｂ，６Ｃ，６Ｄ，６Ｅ，６Ｆ，６Ｇ：吊り下げ部材、８Ａ，８Ｂ，８Ｃ，８Ｄ，８Ｅ，８Ｆ：幅狭部、１０Ａ，１０Ｂ，１０Ｃ，１０Ｄ，１０Ｅ，１０Ｆ：幅広部、１２：ピンチ固定材、１４：ピンチ、１６：バー支持体、１８：バー、２０：楔部、２２Ａ：ネック、２４Ａ：ヘッド、２６，２６ａ，２６ｂ：アクセサリー、２８：吊り下げフック、３０Ａ，３０Ｂ，３０Ｃ，３０Ｄ，３０Ｅ，３０Ｆ，３０Ｇ：ハンガー固定具、３２ａ，３２ｂ，３２ｃ，３２ｄ，３２ｅ，３２ｆ：棒状部、３４Ａ，３４Ｂ：棒状体、３６：プレート、３８：ネジ、４０：ポール、４２：脚、４４Ａ：レール、４４Ｂ：波型レール、４６：脚、４８：ハンガーフック、５０Ａ，５０Ｂ，５０Ｃ，５０Ｄ，５０Ｅ，５０Ｆ，５０Ｇ，５０Ｈ：衣服掛け、５２ａ，５２ｂ，５２ｃ，５２ｄ：板状体、５４Ａ，５４Ｂ：貫通孔。
【図１Ａ】
2010284406.tif 000003
【図１Ｂ】
2010284406.tif 000004
【図１Ｃ】
2010284406.tif 000005
【図２Ａ】
2010284406.tif 000006
【図２Ｂ】
2010284406.tif 000007
【図２Ｃ】
2010284406.tif 000008
【図２Ｄ】
2010284406.tif 000009
【図３Ａ】
2010284406.tif 000010
【図３Ｂ】
2010284406.tif 000011
【図３Ｃ】
2010284406.tif 000012
【図４Ａ】
2010284406.tif 000013
【図４Ｂ】
2010284406.tif 000014
【図５Ａ】
2010284406.tif 000015
【図５Ｂ】
2010284406.tif 000016
【図６Ａ】
2010284406.tif 000017
【図６Ｂ】
2010284406.tif 000018
【図６Ｃ】
2010284406.tif 000019
【図７Ａ】
2010284406.tif 000020
【図７Ｂ】
2010284406.tif 000021
【図８Ａ】
2010284406.tif 000022
【図８Ｂ】
2010284406.tif 000023